(57)【要約】  ウォッチバンドは、電子デバイスをユーザの手首に快適に固定することができる。ウォッチバンドは、接触面と反対側の係合面と反対側の接触面を有するベースと、ユーザと接触するための接触面における接触ループと、フックと係合するための係合面における係合ループと、を備える。フックは、接触ループの一部とは反対側に、係合面に設けることができる。ベースは、ベース糸を含むことができ、接触ループ及び係合ループは、接触面と係合面との間のベース糸の一部の周りに織られた接触糸及び係合糸によって形成することができる。隣接する係合ループの間で、係合糸は、隣接する接触ループの間の接触糸よりも、ベースにより確実に取り付けることができる。
2020528794.tif 000002
【特許請求の範囲】
【請求項１】
ウォッチバンドであって、
係合面とは反対側の接触面を有するベースと、
ユーザと接触するための前記接触面における接触ループと、
前記係合面にあり、かつ前記接触ループの一部とは反対側のフックと、
前記フックと係合するための前記係合面における係合ループと、を備える、ウォッチバンド。
【請求項２】
前記係合面における前記フックを支持するフックパッドであって、それぞれが前記ベースに取り付けられており、前記ベースに沿って他の全てのフックパッドから離間されている、フックパッドと、
前記ベースの第１の端部に付けられており、かつウォッチ筐体の第１の側に接続されるように構成された、筐体コネクタと、
前記ウォッチ筐体の第２の側に接続されるように構成された保持リングであって、前記保持リングの穴内に前記ベースを摺動可能に保持する、保持リングと、
前記ベースが前記保持リングから滑り落ちることを防止するために、前記ベースの第２の端部に付けられたストッパと、を更に備え、
前記接触ループが、前記接触面と前記係合面との間に織られた接触糸によって形成されており、前記係合ループが、前記接触面と前記係合面との間に織られた係合糸によって形成されている、請求項１に記載のウォッチバンド。
【請求項３】
前記フックパッドが、前記ベースの長手方向の中点と前記ベースの長手方向の端部との間に位置する、請求項２に記載のウォッチバンド。
【請求項４】
前記ストッパが、前記保持リングの穴の最大寸法よりも大きい最大寸法を有する、請求項２に記載のウォッチバンド。
【請求項５】
前記係合ループが、前記係合面の全長未満で織り込まれている、請求項１に記載のウォッチバンド。
【請求項６】
前記接触ループを支持する前記接触面の表面積が、前記係合ループを支持する前記係合面の表面積よりも大きい、請求項１に記載のウォッチバンド。
【請求項７】
ウォッチバンドあって、
ベース糸を含み、第２の表面とは反対側の第１の表面を有するベースと、
前記第１の表面と前記第２の表面との間の前記ベース糸の一部の周りに織られており、かつ前記第１の表面を越えて延在する第１のループを形成している第１の糸と、
前記第１の表面と前記第２の表面との間の前記ベース糸の一部の周りに織られており、かつ前記第２の表面を越えて延在する第２のループを形成している第２の糸と、を備える、ウォッチバンド。
【請求項８】
前記ベースが、前記第１の糸及び前記第２の糸を横断するベース糸を含み、前記第１の糸が、隣接する第１のループの間の前記ベース糸の一部の周りに固定されており、前記第２の糸が、隣接する第２のループの間の前記ベース糸の一部の周りに固定されている、請求項７に記載のウォッチバンド。
【請求項９】
前記ベース糸が、織物の２つの撚りを形成しており、前記撚りのそれぞれが、前記ベース糸を横断して延在する弾性糸を有する、請求項８に記載のウォッチバンド。
【請求項１０】
前記隣接する第２のループの間において、前記第２の糸が、隣接する第１のループの間の前記第１の糸よりも多数の前記ベース糸の周りに固定されている、請求項８に記載のウォッチバンド。
【請求項１１】
隣接する第１のループの間において前記第１の糸が、前記第１の表面と前記第２の表面との間で交互に延在する回数よりも、隣接する第２のループの間において前記第２の糸が、前記第１の表面と前記第２の表面との間で交互に延在する回数の方が多い、請求項７に記載のウォッチバンド。
【請求項１２】
前記第１の表面を越えて延在する前記第１のループの総数が、前記第２の表面を越えて延在する前記第２のループの総数よりも多い、請求項７に記載のウォッチバンド。
【請求項１３】
隣接する第２のループ間の距離が、隣接する第１のループ間の距離よりも長い、請求項７に記載のウォッチバンド。
【請求項１４】
前記第１の表面を越えて延在する前記第１のループの密度が、前記第２の表面を越えて延在する前記第２のループの密度よりも高い、請求項７に記載のウォッチバンド。
【請求項１５】
前記第１の糸及び前記第２の糸が、前記ベース糸の一部に溶融されている、請求項７に記載のウォッチバンド。
【請求項１６】
前記第１の糸及び前記第２の糸が、連続するストランドのセグメントである、請求項７に記載のウォッチバンド。
【請求項１７】
前記第１のループのそれぞれが、複数のベース糸にわたり張られた長手方向の長さだけ前記第１の表面にわたり延在し、前記第２のループのそれぞれが、複数のベース糸にわたり張られた長手方向の長さだけ前記第２の表面にわたり延在する、請求項７に記載のウォッチバンド。
【請求項１８】
前記第１の表面と前記第２の表面との間の前記ベース糸の一部の周りに織られており、かつ前記第１の表面を越えて延在する第３のループを形成している第３の糸であって、前記第３のループが前記第１の表面にわたり延在する長手方向の位置とは異なる長手方向の位置において、前記第１のループが前記第１の表面にわたり延在する、第３の糸と、
前記第１の表面と前記第２の表面との間の前記ベース糸の一部の周りに織られており、かつ前記第２の表面を越えて延在する第４のループを形成している第４の糸であって、前記第４のループが前記第２の表面にわたり延在する長手方向の位置とは異なる長手方向の位置において、前記第２のループが前記第２の表面にわたり延在する、第４の糸と、を更に備える、
請求項７に記載のウォッチバンド。
【請求項１９】
ウォッチバンドであって、
係合面とは反対側の接触面を有するベースと、
ユーザに接触するために前記接触面に接触ループを形成している接触糸と、
フックに係合するために前記係合面に係合ループを形成している係合糸と、を備え、
隣接する接触ループの間における前記接触糸の前記ベースへの取り付けよりも、前記係合糸が、隣接する係合ループにおいて、前記ベースにより確実に取り付けられている、ウォッチバンド。
【請求項２０】
前記係合ループから前記フックが係合解除されるときに、前記係合ループに加えられる力よりも強い取り付けによって、前記係合糸が前記ベースに固定されている、請求項１９に記載のウォッチバンド。
【請求項２１】
前記ウォッチバンドがユーザに着用されているとき、前記接触ループが、前記ユーザと前記ベースとの間に空隙を維持する、請求項１９に記載のウォッチバンド。
【請求項２２】
前記ウォッチバンドがユーザに着用されているとき、前記接触ループが、前記ユーザから水分を取り除くように構成されている、請求項１９に記載のウォッチバンド。
【請求項２３】
前記ウォッチバンドが、長手方向の軸線に沿って伸張可能である、請求項１９に記載のウォッチバンド。
【発明の詳細な説明】
【技術分野】
【０００１】
本出願は、２０１７年７月２８日に出願された、「ＷＡＴＣＨＢＡＮＤＳ  ＷＩＴＨ  ＨＯＯＫ  ＡＮＤ  ＬＯＯＰ  ＦＡＳＴＥＮＥＲＳ」と題する、米国特許出願第１５／６６３，６５４号の利益及び優先権を主張するものであり、その開示は参照によってその全体が全ての目的のために本明細書に組み込まれる。
【０００２】
［技術分野］
本明細書は、概して、ウェアラブルデバイスの固定に関し、より具体的には、フックアンドループファスナを有するウォッチバンドに関する。
【背景技術】
【０００３】
一部の電子デバイスは、ユーザに着脱可能に取り付けることができる。例えば、リストウォッチ又はフィットネス／健康追跡デバイスは、ウォッチバンドの自由端を一緒に接合することによってユーザの手首に取り付けることができる。多くの場合、ウォッチバンドは、限定されたフィット調整増加分を使用可能とすることができる。例えば、いくつかのバンドは、小刻みにユーザ調節可能なサイズ（例えば、座屈留め金、ピン、及びアイレットなど）を有するのに対し、他のバンドは、実質的に固定されたサイズを有し、特殊な工具及び／又は専門技術によってのみ調節可能である（例えば、折り畳み式留め金、展開留め金、スナップ嵌め留め金など）。他のバンドは、ユーザの手首周りにフィットするように伸張する、伸縮性のある伸張型バンドとすることができる。電子デバイスの快適性及び固定の程度は、ウォッチバンドの機能及び構成に依存し得る。
【図面の簡単な説明】
【０００４】
主題の技術のある特徴を、添付の特許請求の範囲に示す。しかしながら、説明の目的のため、主題の技術のいくつかの実施形態を、以下の図に示す。
【０００５】
【図１】本開示の一部の実施形態に係る、ユーザの手首にあるウォッチの斜視図である。
【０００６】
【図２】本開示の一部の実施形態に係る、ユーザの手首にある図１のウォッチの別の斜視図である。
【０００７】
【図３】本開示の一部の実施形態に係る、ウォッチバンドを備えたウォッチの側面図である。
【０００８】
【図４】本開示の一部の実施形態に係る、ウォッチバンドの平面図である。
【０００９】
【図５】本開示の一部の実施形態に係る、図４のウォッチバンドの別の図である。
【００１０】
【図６】本開示の一部の実施形態に係る、ウォッチバンドを備えたウォッチの側面図である。
【００１１】
【図７】本開示の一部の実施形態に係る、ストッパ及びベースの斜視分解図である。
【００１２】
【図８】本開示の一部の実施形態に係る、図７のストッパ及びベースの断面図である。
【００１３】
【図９】本開示の一部の実施形態に係る、ストッパ及びベースの斜視図である。
【００１４】
【図１０】本開示の一部の実施形態に係る、図９のストッパ及びベースの斜視分解図である。
【００１５】
【図１１】本開示の一部の実施形態に係る、ストッパ及びベースの斜視図である。
【００１６】
【図１２】本開示の一部の実施形態に係る、ストッパ及びベースの斜視分解図である。
【００１７】
【図１３】本開示の一部の実施形態に係る、ストッパ及びベースの斜視分解図である。
【００１８】
【図１４】本開示の一部の実施形態に係る、ウォッチバンドの一部分の斜視断面図である。
【００１９】
【図１５】本開示の一部の実施形態に係る、織りパターンを示す断面図である。
【００２０】
【図１６】本開示の一部の実施形態に係る、織りパターンを示す断面図である。
【００２１】
【図１７】本開示の一部の実施形態に係る、フックパッドの斜視図である。
【００２２】
【図１８】本開示の一部の実施形態に係る、フックパッドの側面図である。
【００２３】
【図１９】本開示の一部の実施形態に係る、ウォッチバンドの一部分の平面図である。
【００２４】
【図２０】本開示の一部の実施形態に係る、図１９のウォッチバンドの一部分の側面図である。
【００２５】
【図２１】本開示の一部の実施形態に係る、ウォッチバンドの一部分の平面図である。
【００２６】
【図２２】本開示の一部の実施形態に係る、図２１のウォッチバンドの一部分の側面図である。
【００２７】
【図２３】本開示の一部の実施形態に係る、ウォッチバンドの一部分の斜視図である。
【００２８】
【図２４】本開示の一部の実施形態に係る、ウォッチの斜視図である。
【００２９】
【図２５】本開示の一部の実施形態に係る、図２４のウォッチの斜視図である。
【００３０】
【図２６】本開示の一部の実施形態に係る、ウォッチの斜視図である。
【００３１】
【図２７】本開示の一部の実施形態に係る、図２６のウォッチの一部分の横断面図である。
【００３２】
【図２８】本開示の一部の実施形態に係る、図２８のウォッチの一部分の横断面図である。
【００３３】
【図２９】本開示の一部の実施形態に係る、ウォッチの斜視図である。
【００３４】
【図３０】本開示の一部の実施形態に係る、ウォッチの斜視図である。
【００３５】
【図３１】本開示の一部の実施形態に係る、図３０のウォッチの側面図である。
【００３６】
【図３２】本開示の一部の実施形態に係る、図３０のウォッチの側面図である。
【発明を実施するための形態】
【００３７】
以下に述べる詳細な説明は、主題の技術の様々な構成の説明として意図されており、主題の技術を実施できる唯一の構成を表すことを意図するものではない。添付の図面は、本明細書に組み込まれ、詳細な説明の一部を構成する。詳細な説明は、主題の技術の完全な理解を提供するために特定の詳細を含む。しかし、主題の技術は、本明細書において説明されている特定の詳細に限定されず、これらの特定の詳細なしに実施され得ることが当業者には明確であり、明らかであろう。一部の例では、主題の技術の概念を不明瞭にすることを避けるために、周知の構造体及び構成要素がブロック図の形式で示されている。
【００３８】
リストウォッチ又はフィットネス／健康追跡デバイスなどの電子デバイスは、ウォッチバンドによってユーザの手首に取り付けることができる。電子デバイスが過度にずれないように、又はユーザから滑り落ちることがないように、手首への確実な取り付けを維持することが所望されることがある。ユーザに対する電子デバイスの固定は、バイオメトリックセンサなどの電子構成要素の機能にとっても重要であり得る。更に、電子デバイスを装着している間のユーザの快適性を最大化することが所望されることがある。頻繁に、確実な取り付けは、ユーザの手首に望ましくない量の力を加え得る。多くの場合、従来のウォッチバンドは、バンドが過度にきついと、使用中にユーザの毛髪又は皮膚に絡みつく、引っ掛かる、又はユーザの毛髪又は皮膚を引っ張ることがある。他の場合、ウォッチバンドは、バンドが過度に緩いと、ユーザの手首に沿って摺動することがあるか、ユーザの手首周りに回転することがあるか、又はそうでなくてもユーザにとって不快であるか若しくは煩わしいことがある。これらの問題は、ランニングの間又はスポーツをやっている間などの、強度の高い活動期間中に悪化することがある。
【００３９】
更に、従来のウォッチバンドのサイズ又はフィットの調整は、複数のステップ、特殊な工具、及び／又は技術的な専門知識を必要とすることが多い。ユーザが利用できるサイズ調整オプションは、適切なフィットを得るには十分でないことがある。フィットは、特定の環境（例えば、温度、湿度）又は生物学的条件（例えば、汗、炎症）のもとでは、異なることがあり、及び／又は異なると知覚されることがある。結果として、従来のリストウォッチ及び／又はフィットネス／健康追跡デバイスのユーザは、フィットネス／健康追跡デバイス用のきついバンド及び従来のリストウォッチ用の緩いバンドを確保しつつ、（最適には快適ではないにしても）許容可能なフィットを選択することができる。しかしながら、一部のウェアラブル電子デバイスは、フィットネス／健康追跡機能及び計時機能の両方を提供する多目的デバイスであり得る。したがって、ユーザは、ウォッチのフィットを使用に合わせて変更することを好むことがある。例えば、ユーザは、計時モードではより緩いフィット、及びフィットネス／健康追跡モードではよりきついフィットを好むことがある。したがって、ウェアラブル電子デバイスのフィットを動的に調整するためのシステム及び方法の必要性が存在し得る。
【００４０】
本開示の実施形態は、フックアンドループ取り付け機構を提供する。取り付け機構は、ユーザへの確実な取り付けを提供し、また向上した快適性も提供する。例えば、ループは、フックとの係合、並びにユーザとの快適な接触を提供するために、パターンで織ることができる。ループは、ユーザの皮膚に接触し、水分の取り除き又は換気を提供するために、ウォッチバンドの接触側にループを形成するように織ることができる。本開示の実施形態は、外部の力の作用下で偶発的に外れることを回避するために、ユーザによる調整の容易さ、並びに確実な取り付けを提供する。
【００４１】
一部の実施形態によれば、例えば図１に示すように、ウォッチ１０は、ウォッチバンド２０でもって手首２に装着される電子デバイス１２を含む。電子デバイス１２は、ポータブルであってよく、また、ユーザの他の身体部分、又は他のデバイス、構造体、若しくは物体に取り付けることもできる。ウォッチバンド２０は、可撓性であってよく、ユーザの手首２の少なくとも一部分を取り囲むことができる。電子デバイス１２をユーザである人間に固定することによって、ウォッチバンド２０は、確実性及び利便性を提供する。一部の実施形態では、電子デバイス１２は、ディスプレイ１４と、構成要素を収容するための筐体１６とを含む。一部の実施形態によれば、例えば図２に示すように、ウォッチバンド２０は、電子デバイス１２からユーザの手首２の反対側まで延在する。ウォッチバンド２０は、互いに重なり合って係合する内側部分２２及び外側部分２４を含む。
【００４２】
一部の実施形態によれば、例えば図３に示すように、ウォッチバンド２０は、内側部分２２と外側部分２４の重なりの程度を選択することによって、手首２に確実かつ快適にフィットするように調節可能である。例えば、ウォッチバンド２０の直径は、手首２への確実かつ快適なフィットに適するように調整可能である。ウォッチバンド２０は、筐体コネクタ３０を用いて、電子デバイス１２の筐体１６の一部分に、着脱可能に取り付けられる。ウォッチバンド２０は、保持リング４０を用いて、電子デバイス１２の筐体１６の別の部分に、着脱可能に取り付けられる。したがって、ウォッチバンドは電子デバイス１２から着脱可能であり、交換され、それによって、ユーザは必要に応じて又は所望に応じてウォッチバンドを切り替えることができる。ウォッチバンド２０の一部分は、保持リング４０の穴を通り、それによって内側部分２２の長さ及び外側部分２４の長さは、保持リング４０のいずれの側において画定される。
【００４３】
ウォッチバンド２０の接触面２６は、ユーザの手首２に接触するように位置決め可能である。内側部分２２に沿って、接触面２６は、手首２に向いて内側に面する。外側部分２４に沿って、接触面２６は、外側に向いた面として続く。ウォッチバンド２０の係合面２８は、ウォッチバンド２０自体に接触するように位置決め可能である。内側部分２２に沿って、係合面２８は、手首２とは反対側で外側に面する。外側部分２４に沿って、係合面２８は、内側部分２２に向いて内側に面し、かつ内側部分２２に沿って延在する係合面２８の部分と反対側である。フックゾーン５４は、係合面２８上及び外側部分２４に沿って設けられている。フックゾーン５４は、本明細書で更に説明するように、係合面２８上及び内側部分２２に沿ったループゾーン５２のループと係合するように配置されている。係合面２８は、ユーザの手首２との接触を回避するように配置することができる。
【００４４】
一部の実施形態によれば、例えば図４に示すように、筐体コネクタ３０及びストッパ５０は、ウォッチバンド２０の端部に又は端部付近に位置する。保持リング４０は、ウォッチバンド２０のベース３２に摺動可能に接続されており、電子デバイス１２の筐体１６との接続を提供する。接触面２６は、筐体コネクタ３０とストッパ５０との間に延在する。例えば、接触面２６は、筐体コネクタ３０及び／又はストッパ５０まで延在する。接触面２６は、内側部分２２に沿って手首２と接触し、外側部分２４に沿って外側に向けられた面を提供するために、ベース３２から延在するループを提供する。
【００４５】
図４に示すように、保持リング４０は、係合端部４４及び穴４２を有することができ、この穴４２を通ってウォッチバンド２０は延在することができる。ストッパ５０は、穴４２の少なくとも１つの断面寸法よりも大きい少なくとも１つの断面寸法を有する。例えば、ストッパ５０は、穴４２の横方向断面寸法よりも大きい、ウォッチバンド２０の長手方向軸線を横断する横方向断面寸法を有することができる。保持リング４０は、電子デバイス１２の筐体１６に確実に係合させるための係合部材を更に含む。例えば、係合部材は、保持リング４０が筐体１６のチャネル内で、筐体１６に確実に係合することを可能にする。係合部材は、筐体コネクタ３０の係合部材と同じであってよく、同様であってよく、又は異なっていてよい。
【００４６】
一部の実施形態によれば、例えば図５に示すように、係合面２８は、筐体コネクタ３０とストッパ５０との間に延在する。係合面２８は、ループゾーン５２及びフックゾーン５４を含む。ループゾーン５２は、筐体コネクタ３０よりに延在することができ、フックゾーン５４は、ストッパ５０よりに延在することができる。ループゾーン５２に沿って、係合面２８は、フックゾーン５４のフックと係合するための、ベース３２から延在するループを提供する。フックゾーン５４は、ループゾーン５２のループと係合するための、ベース３２に取り付けられた１つ以上のフックパッド５６を含むことができる。
【００４７】
図４及び図５に示すように、ループを有する接触面２６の部分は、係合面２８のループゾーン５２の面積よりも大きい面積を有することができる。例えば、接触面２６は、筐体コネクタ３０とストッパ５０との間の全長に沿ってループを有することができる。係合面２８は、ループゾーン５２とフックゾーン５４とに分けることができる。
【００４８】
一部の実施形態によれば、例えば図６に示すように、ウォッチバンド２０は、保持リング４０を通って摺動可能に延在する。保持リング４０の両側に延在するウォッチバンド２０の長さは、ユーザの手首２における好ましい快適性及び把持のために、ユーザによって所望通りに調整することができる。ストッパ５０は、保持リング４０を通過するのを防止するように寸法設計及び構成することができ、それによってウォッチバンド２０の一部分が保持リング４０の少なくとも一部分内にとどまる。ストッパ５０は、外側部分２４の端部において、外側部分２４に沿って、係合面２８において、及び／又は接触面２６において特徴部を含むことができる。
【００４９】
一部の実施形態によれば、例えば図７及び図８に示すように、ストッパ５０は、ウォッチバンド２０のベース３２に確実に係合させるためにばね部材と共に組み立てられる。ベース３２は、シェル１５４の１つ以上の部分が係合することができる係合区分３４を含むことができる。例えば、シェル１５４の１つ以上の歯は、係合区分３４の穴内に延在する。弓形ばね１５６が、シェル１５４とインサート１５２との間に設けられている。インサート１５２がシェル１５４の上に配置されると、インサート１５２は、シェル１５４と係合区分３４との係合解除を防ぐ。インサート１５２内で弓形ばね１５６が弛緩された位置まで延在すると、弓形ばね１５６は、インサート１５２がシェル１５４から摺動して外れることを防止する。カバー１５０は、インサート１５２の少なくとも一部分の上に提供する（例えば、オーバーモールドする）ことができる。
【００５０】
一部の実施形態によれば、例えば図９及び図１０に示すように、ストッパ５０は、ウォッチバンド２０のベース３２に確実に係合させるためにピンと共に組み立てられる。ベース３２は、１つ以上のピン１６６が係合することができる係合区分３４を含むことができる。例えば、１つ以上のピン１６６は、係合区分３４の穴を通って、シェル１６８の穴を通って、及び／又はインサート１６２の穴を通って延在することができる。シェル１６８は、インサート１６２の少なくとも一部分内に嵌めることができる。ピン１６６は、長手方向における係合区分３４とインサート１６２及び／又はシェル１６８との係合解除を防止する。ピン１６６がインサート１６２及び／又はシェル１６８から外れないようにするために、インサート１６２及び／又はシェル１６８の少なくとも一部分の上に、複数あるカバー１６４のうちの１つを提供する（オーバーモールドする、接着する、スナップさせる）ことができる。
【００５１】
一部の実施形態によれば、例えば図１１から図１３に示すように、ストッパ５０は、ベース３２の上にモールドされる。ストッパ５０は、保持リング４０の穴４２よりも大きい断面寸法を提供する１つ以上の突出部１９８を含むことができる。ベース３２は、ストッパ５０の１つ以上の部分が係合することができる係合区分３４を含むことができる。図１２に示すように、係合区分３４は穴を含むことができる。図１３に示すように、係合区分３４はノッチを含むことができる。ストッパ５０の一部分がその確実な係合のために係合区分３４の空所内に延在するように、ストッパ５０は、ベース３２の係合区分３４の上にオーバーモールドすることができる。
【００５２】
一部の実施形態によれば、例えば図１４に示すように、ウォッチバンド２０は、ベース３２上にループ８０を含む。ループ８０は、ベース３２から延在してベース３２へと戻るループ糸によって形成することができる。各ループ糸は、ベース３２内に織り込むことができ、接触面２６及び係合面２８上に又はそれを越えて延在することができる。ベース３２は、ベース糸６０及び／又は弾性糸７２から形成することができる。弾性糸７２は、長手方向において、例えば筐体コネクタ３０及びストッパ５０に向かって延在する。ベース糸６０は、弾性糸７２及び／又はループ糸を横断する方向に延在する。弾性糸７２は、ベース３２の１つ以上の端部において、反転されて逆方向に向かう。
【００５３】
本明細書で使用するとき、ループは、閉じられた空間を包囲する構造体の長さによって画定される。ループは、閉じられた空間を包囲するために、糸がその糸自体に接続されない場合であっても、糸によって形成することができる。例えば、糸の「ループ」は、糸及びベースが一緒に閉じられた空間を包囲するように、ベースから延在してベースへと戻ることができる。
【００５４】
糸のために選択される材料は、本明細書に記載される製造及び使用を容易にするように選択することができる。糸は、天然繊維及び／又は合成繊維を含むことができる。糸は、ポリマー、コポリマー、又はポリマーブレンドを含むことができる。糸は、スパンデックスを含む、ナイロン、ポリエステル、ポリウレタン、及びこれらの組み合わせを含むことができる。糸は、単一のフィラメント及び／又は糸束を含むことができる。弾性糸７２は、伸張を容易にする材料であってもよい。ベース糸６０及びループ糸は、同じ材料又は類似の材料の糸であってよい。ベース糸６０は、ループ糸の融点よりも低い融点を有することができる。
【００５５】
一部の実施形態によれば、例えば図１５に示すように、１つ以上の係合ループ糸が、係合面２８において係合ループ８０を形成するために使用される。係合ループ８０は、フックとの係合を強化するように形成及び配置される。例えば、係合ループ８０の形状、サイズ、数、及び分布は、フックとの迅速かつ確実な係合を容易にすることができる。このような特徴部には、係合ループ８０を形成する織物が設けられている。
【００５６】
図１５に示すように、第１の係合ループ糸８２、第２の係合ループ糸８４、及び第３の係合ループ糸８６は、同じベース３２に織り込まれている。第１の係合ループ糸８２、第２の係合ループ糸８４、及び第３の係合ループ糸８６は、別個の糸であるか、又は１つ以上の連続する糸のセグメントである。係合ループ８０を含む係合ループ糸の少なくとも一部のセグメントは、ベース３２に沿って互いに平行に延在する。
【００５７】
図１５に示すように、第１の係合ループ糸８２は、ベース３２の係合面２８から離れる方向に、及び長手方向の長さに沿って延在する係合ループ８０を形成する。係合ループ８０の長手方向の長さは、係合ループ８０がベース３２から延在する位置間の多数のベース糸６０に対応する。例えば、図１５に示すように、係合ループ８０は、５本のベース糸６０（すなわち、ベース３２の対向する面におけるベース糸６０の組み合わせた数を表す）にわたって長手方向に延在する。他の長手方向の長さ及び飛び越されるベース糸６０の数は、本明細書で更に説明するように、係合ループ８０を特徴付けるために適用することができる。例えば、係合ループ糸は、３、４、５、６、７、８、９、１０、又は１０より多くのベース糸６０にわたり延在する係合ループ８０を形成することができる。
【００５８】
各係合ループ８０間では、第１の係合ループ糸８２は、ベース３２の対向する面（すなわち、接触面２６及び係合面２８）の間を、及び／又はベース３２の対向する面を超えて交互に延在する。各面では、第１の係合ループ糸８２は、ベース糸６０の周りに少なくとも部分的に延在し、また反転してベース３２に再び入る。第１の係合ループ糸８２は、係合ループ８０を形成することなく、又は任意のベース糸６０を飛び越えるように長手方向に延在することなく、反転してベース３２に戻る。このような構成では、第１の係合ループ糸８２の反転は、係合ループ８０としてベース３２から離れて上昇するのではなく、ベース３２に向かう。隣接する係合ループ８０間の第１の係合ループ糸８２の範囲は、その周りで第１の係合ループ糸８２が反転する、連続するベース糸６０の数に対応する。例えば、図１５に示すように、第１の係合ループ糸８２は、隣接する係合ループ８０間の７個の連続するベース糸６０の周りで反転することができる。接触するベース糸６０の他の数は、本明細書で更に説明するように、第１の係合ループ糸８２を特徴付けるために適用することができる。例えば、係合ループ糸は、隣接する係合ループ８０間の２、３、４、５、６、７、８、９、１０、１１、１２、１３、１４、又は１４より多くの連続するベース糸６０の周りで反転することができる。
【００５９】
図１５に示すように、異なる糸が互い違いになっており、それによって、１つの糸の係合ループ８０は、別の糸の係合ループ８０とは異なる長手方向の位置に形成される。例えば、第１の係合ループ糸８２の係合ループ８０は、第２の係合ループ糸８４によって形成される係合ループ８０の位置とは異なる、長手方向の位置に形成することができる。更に、第３の係合ループ糸８６の係合ループ８０は、第１の係合ループ糸８２によって形成される係合ループ８０の位置及び第２の係合ループ糸８４によって形成される係合ループ８０の位置とは異なる、長手方向の位置に形成することができる。このような構成は、係合ループ８０を互いに更に離して分布させることを可能にし、それによってフックと係合するより大きな機会が提供される。したがって、１本の糸の係合ループ８０は、別の糸の係合ループ８０が延在しているベース糸６０のセットとは異なる、ベース糸６０のセットにわたり延在する。更に、１本の糸の係合ループ８０は、その周りで別の糸が反転する連続するベース糸６０のセットとは異なる、連続するベース糸６０のセットの周りで反転する。
【００６０】
一部の実施形態によれば、例えば図１６に示すように、１つ以上の接触ループ糸が、接触面２６において接触ループ９０を形成するために使用される。接触ループ９０は、ユーザの手首２との接触を向上させるように形成及び配置される。例えば、接触ループ９０の形状、サイズ、数、及び分布は、ユーザの快適性、通気性、及び水分の取り除き能力を促進する。このような特徴部には、接触ループ９０を形成する織物を設けることができる。
【００６１】
図１６に示すように、第１の接触ループ糸９２及び第２の接触ループ糸９４は、同じベース３２に織り込むことができる。第１の接触ループ糸９２及び第２の接触ループ糸９４は、別個の糸であってよいか、又は１つ以上の連続する糸のセグメントであってよい。接触ループ９０を含む、接触ループ糸の少なくとも一部のセグメントは、ベース３２に沿って互いに平行に延在する。
【００６２】
図１６に示すように、第１の接触ループ糸９２は、ベース３２の接触面２６から離れる方向に、及び長手方向の長さに沿って延在する接触ループ９０を形成する。接触ループ９０の長手方向の長さは、接触ループ９０がベース３２から延在する位置間の多数のベース糸６０に対応する。例えば、図１５に示すように、接触ループ９０は、５本のベース糸６０（すなわち、ベース３２の対向する面におけるベース糸６０の組み合わせた数を表す）にわたって長手方向に延在する。他の長手方向の長さ及び飛び越されるベース糸６０の数は、本明細書で更に説明するように、接触ループ９０を特徴付けるために適用することができる。例えば、接触ループ糸は、３、４、５、６、７、８、９、１０、又は１０より多くのベース糸６０にわたり延在する接触ループ９０を形成することができる。
【００６３】
係合ループ８０のうちの１つ以上の係合ループ８０の長手方向の長さは、接触ループ９０のうちの１つ以上の接触ループ９０の長手方向の長さと同じであってよく、又は異なっていてよい。例えば、長さは、係合面２８における係合ループ８０及び接触面２６における接触ループ９０の両方に対して均一であってよい。代替的に又は組み合わせで、ループは、ユーザとの接触及びフックとの係合の異なる機能に適合するために、異なるサイズを有することができる。
【００６４】
各接触ループ９０間では、第１の接触ループ糸９２は、ベース３２の対向する面（すなわち、接触面２６及び係合面２８）の間を、及び／又はベース３２の対向する面を超えて交互に延在する。各面では、第１の接触ループ糸９２は、ベース糸６０の周りに少なくとも部分的に延在し、また反転してベース３２に再び入る。第１の接触ループ糸９２は、接触ループ９０を形成することなく、又は任意のベース糸６０を飛び越えるように長手方向に延在することなく、反転してベース３２に戻る。このような構成では、第１の接触ループ糸９２の反転は、接触ループ９０としてベース３２から離れて上昇するのではなく、ベース３２に向かう。隣接する接触ループ９０間の第１の接触ループ糸９２の範囲は、その周りで第１の接触ループ糸９２が反転する、連続するベース糸６０の数に対応する。例えば、図１６に示すように、第１の接触ループ糸９２は、隣接する接触ループ９０間の３個の連続するベース糸６０の周りで反転する。接触するベース糸６０の他の数は、本明細書で更に説明するように、第１の接触ループ糸９２を特徴付けるために適用することができる。例えば、接触ループ糸は、隣接する係合ループ８０間の２、３、４、５、６、７、８、又は８より多くの連続するベース糸６０の周りで反転することができる。
【００６５】
隣接する係合ループ８０間の反転の数は、隣接する接触ループ９０間の反転の数と同じであってよく、又は異なっていてよい。例えば、反転の数は、ユーザとの接触及びフックとの係合の異なる機能に適合するために異なっていてよい。隣接する係合ループ８０間の反転の数は、隣接する接触ループ９０間の反転の数よりも大きくてもよく、それによって、係合ループ８０は、複数回のフック係合動作及びフック係合解除動作にわたり、より確実に固定されたままとなる。隣接する接触ループ９０間のより少ない数の反転は、ベース３２の所定の領域における接触ループ９０のより高い密度をもたらすこともできる。例えば、係合ループ８０及び接触ループ９０が同じ長さ又は実質的に等しい長さを有する場合、隣接する接触ループ９０間のより少ない数の反転は、所定の領域における係合ループ８０よりも多くの数の接触ループ９０をもたらす。より高い密度の接触ループ９０は、より多くの数の接触ループ９０にわたり力を分布させることによって、ユーザにとってより高い快適性を提供する。
【００６６】
図１６に示すように、異なる糸は互い違いにすることができ、それによって、１つの糸の接触ループ９０は、別の糸の接触ループ９０とは異なる、長手方向の位置に形成される。例えば、第１の接触ループ糸９２の接触ループ９０は、第２の接触ループ糸９４によって形成される接触ループ９０の位置とは異なる、長手方向の位置に形成することができる。このような構成は、接触ループ９０を互いに更に離して分布させることを可能にし、それによって、ユーザの手首２に力及び圧力がより均一に分布される。したがって、１本の糸は、別の糸の接触ループ９０が延在しているベース糸６０のセットとは異なる、ベース糸６０のセットにわたり延在することができる。更に、１本の糸は、その周りで別の糸が反転する連続するベース糸６０のセットとは異なる、連続するベース糸６０のセットの周りで反転することができる。
【００６７】
係合ループ８０のうちの１つ以上の係合ループ８０及び接触ループ９０のうちの１つ以上の接触ループ９０は、連続的な糸のセグメントであってよい。例えば、単一の糸は、ベース３２を通って延在して、係合面２８及び接触面２６の両方にループを形成することができる。更なる例によって、単一の糸は、ベース３２の端部間の係合面２８に係合ループ８０を形成し、逆方向に反転し、ベースの端部間の接触面２６に接触ループ９０を形成することができる。
【００６８】
一部の実施形態によれば、係合ループ８０及び接触ループ９０は、製織プロセスによって形成及び固定される。ベース３２は、ベース糸６０間の長手方向の間隔を拡大するために長手方向に伸張させることができる。長手方向に延在する弾性糸７２は、弾性糸７２の弾性特性に基づいて伸張を促進することができる。ループ糸は、本明細書に記載されるように、ベース３２が伸張された構成である間に、ベース３２に織り込むことができる。ベース３２が伸張されていない構成又は弛緩した構成に戻ると、係合ループ８０及び接触ループ９０は、係合ループ８０及び接触ループ９０が、ベース３２から延在する位置間の短縮により、ベース３２から上昇する。ループ糸及びベース３２は、加熱することができ、それによって、少なくともベース糸６０は、少なくとも部分的に溶融して、ベース糸６０に接触してその周りで反転するループ糸に融着及び結合する。したがって、ループ糸とベース糸６０との間の確実な係合が達成される。結合の強度は、ベース糸６０の周りにループ糸によって行われる反転の数に比例することができる。
【００６９】
ウォッチバンドは、本明細書に記載される設計に基づいて生じる、視覚的効果を有する様々な色で作製することができる。接触ループ糸、係合ループ糸、接触ベース糸、及び係合ベース糸のうちの少なくとも一部は、ウォッチバンド２０における他の糸とは異なる色であってよい。いくつかの糸を組み合わせて、所望のようなカスタム色の組み合わせを生成することができる。色は、本明細書に記載される製織パターンでの、特定の糸の外観に基づいて選択することができる。更に、糸の部分は表面から離れて上昇するので、異なる角度で見たときに、製織パターンは、異なる視覚的効果をもたらす。例えば、一部の視野角では、多数のベース糸の視野を阻止しながら、ループの列は、それ自体で視覚的に存在する。これらの角度では、ループ糸のために選択された色は、比較的より目立つ。他の視野角では、ベース糸は、より容易に見られる。これらの角度では、ベース糸のために選択された色は、比較的より目立つ。したがって、見かけの色、パターン、及び設計は、ウォッチバンド２０を異なる角度から見ると変化する。
【００７０】
一部の実施形態によれば、例えば図１７に示すように、フックパッド５６は、ループと係合するための１つ以上のフック５８を含むことができる。フック５８は、フックパッド５６の表面にわたり分布させることができる。フック５８の数、密度、サイズ、及び／又は形状は、フックパッド５６の表面にわたり一定であってよい、又は変化してよい。フックパッド５６の外周は、縁部の急峻度を低減するための１つ以上の曲線を含むことができる。
【００７１】
一部の実施形態によれば、例えば図１８に示すように、フックパッド５６は、急峻な縁部を低減する上面から底面への移行部を含む。例えば、フックパッド５６は、フックパッド５６の周縁に沿って縁部領域６２を含むことができる。縁部領域６２は、移行を提供する１つ又は表面特徴部を含むことができる。例えば、図１８に示すように、フックパッド５６は、丸みのある斜面を含むことができる。他の形状及び幾何学を提供することができる。例えば、縁部領域６２は、１つ以上のチャンファ、フィレット、スカラップ、起伏、及び／又はテクスチャを含むことができる。縁部領域６２は、直角の角又は縁部に対して急峻度を低減する。縁部領域６２によって提供される移行部は、ユーザとの接触時の快適性を提供し、物体に引っ掛かることを回避する。一部の実施形態によれば、フックパッド５６は、フック５８を含むシートから形成される。フックパッド５６は、例えばダイカットを用いてシートから切り出すことができる。縁部領域６２は、所望の形状を有するようにフックパッド５６の領域を切断又は成形することによって形成することができる。
【００７２】
フックパッド５６の数、密度、サイズ、及び／又は形状は、フックゾーン５４の表面にわたり一定であってよい、又は変化してよい。フックパッド５６は、溶接（例えば、レーザー溶接）、積層、接着、織り合わせ、又はこれらの組み合わせのうちの１つ以上によってベース３２に取り付けることができる。
【００７３】
一部の実施形態によれば、例えば図１９及び図２０に示すように、複数のフックパッド５６は、ウォッチバンド２０のフックゾーン５４に沿って設けられている。フックゾーン５４は、ウォッチバンド２０のループゾーン５２に隣接している。フックゾーン５４は、ベース３２から延在するループを有さないベース３２の長さを提供する。フックゾーン５４は、ストッパ５０に隣接することができる。各フックパッド５６は、１つ又は長手方向に隣接するフックパッド５６から長手方向に離間している。フックパッド５６間の中断は、１つ以上のフックパッド５６の連続する長さが提供されるよりも、高い可撓性を提供する。したがって、フックゾーン５４は、中断部を備えて、全体的により高い可撓性を有する。ウォッチバンド２０の終端部又はその付近の１つ以上のフックパッド５６は、向上した係合を提供することができる。例えば、フックパッド５６のうちの一番端のフックパッド５６は、フックゾーン５４内に位置する、ストッパ５０からより遠くにある他のフックパッド５６よりも長くてよい。他のフックパッド５６と比較して、ウォッチバンド２０の終端部又はその付近の１つ以上のフックパッド５６におけるフックの異なる数、密度、分布、サイズ、及び／又は形状など、他の特徴部を設けることができる。一番端のフックパッド５６の特異な特徴部は、ウォッチバンド２０自体からウォッチバンド２０が係合解除される力に耐えるために、ウォッチバンド２０の終端部付近でより強い係合を提供することができる。短い中断部を含むより多くの数のフックパッド５６は、フックパッド５６によって占有されているフックゾーン５４のより大きい表面積と共に、可撓性も提供することができる。
【００７４】
一部の実施形態によれば、例えば図２１及び図２２に示すように、ストッパ５０は、係合要素６４を含む。フックゾーン５４に沿ったベース３２におけるフックパッド５６に代替的に又はそれと組み合わせて、ストッパ５０の係合要素６４は、ウォッチバンド２０の別の部分に係合するためのフック又は別の特徴部を含むことができる。係合要素６４は、溶接（例えば、レーザー溶接）、積層、接着、織り合わせ、又はこれらの組み合わせのうちの１つ以上によってストッパ５０に取り付けることができる。係合要素６４のフックは、ループゾーン５２のループに係合することができる。ストッパ５０の係合要素６４は、フックゾーン５４内に位置するフックパッド５６よりも大きくてよい。フックパッド５６と比較して、係合要素６４におけるフックの異なる数、密度、分布、サイズ、及び／又は形状など、他の特徴部を設けることができる。係合要素６４の特異な特徴部は、ウォッチバンド２０の他の部分との係合からストッパ５０を係合解除させる力に耐えるために、ストッパ５０に対してより強い係合を提供する。代替的に又は組み合わせて、係合要素６４は、ウォッチバンド２０の別の部分に取り外し可能に係合するための磁石、留め金、又は別の機構を含むことができる。ストッパ５０の係合要素６４は、有利には、ウォッチバンド２０の終端部付近における係合を提供する。この構成は、ウォッチバンド２０のより大きな範囲に沿った係合を容易にするのに役立つ。更に、ストッパ５０に作用する力によって、ストッパ５０がウォッチバンド２０の他の部分に係合し続けることが阻止される。
【００７５】
一部の実施形態によれば、例えば図２３に示すように、フックセクション６６は、ウォッチバンド２０の終端部に又は終端部付近に位置する。ストッパ５０は、フックゾーン５４とフックセクション６６との間に位置することができる。フックゾーン５４及びフックセクション６６の両方は、１つ以上のフックパッド５６を含むことができる。したがって、フックゾーン５４及びフックセクション６６の両方におけるフックは、ウォッチバンド２０の他の部分（例えば、ループ）との係合を提供する。フックセクション６６は、有利には、ウォッチバンド２０自体からウォッチバンド２０が係合解除される力に耐えるために、ウォッチバンド２０の終端部付近で係合を提供する。
【００７６】
一部の実施形態によれば、例えば図２４及び図２５に示すように、捕捉バンド１１０は、ストッパ５０が挿入されたときにストッパ５０を保持する。捕捉バンド１１０は、ウォッチバンド２０のストッパ５０及び／又は外側部分２４を収容するように、弾性に伸張及び／又は変形する。図２４及び図２５に示すように、ユーザは、少なくともストッパ５０を、捕捉バンド１１０の一部分を通して挿入することができる。捕捉バンド１１０は、続いて、内側部分２２及び外側部分２４の一部分を包囲する。このような構成では、捕捉バンド１１０は、外側部分２４が内側部分２２と係合し続ける、及び／又は内側部分２２と接触し続ける追加の支持を提供する。捕捉バンド１１０は、内側部分２２及び／又は外側部分２４の長手方向の長さに沿って摺動可能である。例えば、捕捉バンド１１０は、ストッパ５０を収容し、ストッパ５０の付近に位置するように調整することができる。捕捉バンド１１０は、弾性であり、外側部分２４及び内側部分２２を一緒に押すように寸法設計される。ユーザは、外側部分２４及びストッパ５０に対して捕捉バンド１１０を摺動させることによって、捕捉バンド１１０からストッパ５０及び外側部分２４を取り外すことができる。
【００７７】
一部の実施形態によれば、例えば図２６から図４５に示すように、摺動可能なシールド１１２は、シールド１１２に接続されたときにストッパ５０を保持する。摺動可能なシールド１１２は、ストッパ５０に整列されるように調整可能である。例えば、図２７に示すように、ユーザは、外側部分２４を内側部分２２に当て、ストッパ５０を内側部分２２の近傍に接近させることができる。図２８に示すように、摺動可能なシールド１１２は、ストッパ５０に位置合わせされるように、内側部分２２に沿って摺動可能である。摺動可能なシールド１１２は、ストッパ５０と接触することができ、及び／又はストッパ５０の少なくとも一部分にわたり延在することができる。このような構成では、摺動可能なシールド１１２は、ストッパ５０が内側部分２２と係合し続ける、及び／又は内側部分２２と接触し続ける追加の支持を提供する。ストッパを内側部分２２から引き上げることになる力は、摺動可能なシールド１１２によって提供されるシールドによって偏向される。例えば、ストッパ５０及び摺動可能なシールド１１２は、ストッパ５０と摺動可能なシールド１１２との間の係合を容易にする機構（例えば、磁石、フック及びループ、留め金）を含むことができる。ユーザは、摺動可能なシールド１１２及びストッパ５０を互いに離す方向に摺動させることによって、摺動可能なシールド１１２からストッパ５０を取り外すことができる。
【００７８】
一部の実施形態によれば、例えば図２９に示すように、摺動可能な収容部１１６は、収容部１１６に接続されたときにストッパ５０を保持する。摺動可能な収容部１１６は、ストッパ５０に整列されるように調整可能である。例えば、図２９に示すように、ユーザは、外側部分２４を内側部分２２に当て、ストッパ５０を内側部分２２の近傍に接近させることができる。摺動可能な収容部１１６は、ストッパ５０に位置合わせされるように、内側部分２２に沿って摺動可能である。摺動可能な収容部１１６及びストッパ５０は、相補的な形状を有することができ、それによってストッパ５０は、ストッパ５０が押し付けられたときに摺動可能な収容部１１６内に堅く嵌まる。例えば、ストッパ５０は、摺動可能な収容部１１６よりも僅かに大きく寸法設計することができる。代替的に又は組み合わせて、摺動可能な収容部１１６及びストッパ５０は、ソケット及びスタッドを含むボタン結合部などの相補的な特徴部を有することができ、その結果、ストッパ５０は、一緒に押し付けられたときに摺動可能な収容部１１６とスナップ嵌めすることができる。係合すると、摺動可能な収容部１１６は、ストッパ５０が内部に係合された状態に維持するための支持を提供する。ユーザは、係合を克服するには十分な力を加えることによって、摺動可能な収容部１１６からストッパ５０を取り外すことができる。
【００７９】
一部の実施形態によれば、例えば、図３０から図３２に示すように、カバーストラップ３５は、ストッパ５０及び外側部分２４を内側部分２２に対して保持する。カバーストラップ３５は、電子デバイス１２の筐体１６、筐体コネクタ３０、保持リング４０とは反対側の別の構造体、及び／又はウォッチバンド２０の別の部分から延在する。カバーストラップ３５は、外側部分２４のループと係合するためのフックパッド３６を含むことができる。例えば、図３１に示すように、ユーザは、外側部分２４を内側部分２２に当て、ストッパ５０を内側部分２２の近傍に接近させることができる。図３２に示すように、カバーストラップ３５は、外側部分２４の外側表面に当てられる。カバーストラップ３５は、ストッパ５０及び外側部分２４の少なくとも一部分にわたり延在することができる。カバーストラップ３５のフックパッド３６は、外側部分２４の外側表面におけるループに係合することができる。このような構成では、カバーストラップ３５は、ストッパ５０が内側部分２２と係合し続ける、及び／又は内側部分２２と接触し続ける追加の支持を提供する。ストッパを内側部分２２から引き上げることになる力は、カバーストラップ３５によって提供されるシールドによって偏向される。更に、外側部分２４からカバーストラップ３５を引き離しやすい力は、内側部分２２からストッパ５０を引き離しにくい。ユーザは、外側部分２４の外側表面におけるループからフックパッド３６を係合解除するには十分な力で引くことによって、外側部分２４からカバーストラップ３５を取り外すことができる。
【００８０】
前述の説明は、当業者が本明細書で説明した様々な態様を実施することを可能にするために提供される。これらの態様に対する様々な変更は、当業者には容易に明らかであり、本明細書で定義される一般的な原理は、他の態様にも適用することができる。それゆえ、請求項は、本明細書に示される態様に限定されること意図されておらず、文言による請求項に合致した全範囲を認められるべきであり、単数形による要素への言及は、特に断りのない限り、「唯一の（ｏｎｅ  ａｎｄ  ｏｎｌｙ  ｏｎｅ）」を意味することを意図されておらず、むしろ、「１つ以上の（ｏｎｅ  ｏｒ  ｍｏｒｅ）」を意味すること意図されている。特記しない限り、「いくつかの（ｓｏｍｅ）」という用語は、１つ以上のものを指す。男性系（例えば、彼）の代名詞は、女性及び中性の性別（例えば、彼女及びその）を含み、並びにその逆である。もしあれば、見出し及び小見出しは、便宜上のみに使用され、本願の開示を限定するものではない。
【００８１】
「〜ように構成された（ｃｏｎｆｉｇｕｒｅｄ  ｔｏ）」、「〜ように動作可能な（ｏｐｅｒａｂｌｅ  ｔｏ）」、及び「〜ようにプログラムされた（ｐｒｏｇｒａｍｍｅｄ  ｔｏ）」という述語は、対象物の特有の有形又は無形の改変を意味するものではなく、むしろ交換可能に使用されることを意図している。
【００８２】
「態様（ａｓｐｅｃｔ）」などの語句は、このような態様が本願の技術に必須であること、又はこのような態様が本願の技術の全ての構成に適用されることを含意しない。一態様に関する開示は、全ての構成、又は１つ以上の構成に適用され得る。「一態様（ａｎ  ａｓｐｅｃｔ）などの語句は１つ以上の態様を指し、その逆も真である。「構成（ｃｏｎｆｉｇｕｒａｔｉｏｎ）」などの語句は、このような構成が本願の技術に必須であること、又はこのような構成が本願の技術の全ての構成に適用されることを含意しない。一構成（ａ  ｃｏｎｆｉｇｕｒａｔｉｏｎ）に関する開示は、全ての構成、又は１つ以上の構成に適用され得る。一構成（ａ  ｃｏｎｆｉｇｕｒａｔｉｏｎ）などの語句は１つ以上の構成を指し、その逆も真である。
【００８３】
単語「例（ｅｘａｍｐｌｅ）」は、本明細書において、「例又は実例の役割を果たすこと」を意味するために使用される。本明細書において説明される態様又は設計はいずれも、必ずしも、他の態様又は設計よりも好ましい、又は有利なものと解釈されるべきではない。
【００８４】
当業者に知られているか又は後に知られるようになる、本開示を通じて説明される様々な態様のエレメントに対する全ての構造的及び機能的な均等物は、参照により明示的に本明細書に組み込まれ、かつ、特許請求の範囲に包含されるものと意図する。更に、本明細書で開示されたいかなるものも、そのような開示が特許請求の範囲に明白に列挙されているかどうかにかかわらず、公共に捧げられることを意図しない。いかなるクレーム要素も、要素が、表現「〜のための手段（ｍｅａｎｓ  ｆｏｒ）」を使用して明示的に列挙されるか、又は方法クレームの場合には、要素が、表現「〜のためのステップ（ｓｔｅｐ  ｆｏｒ）」を使用して列挙されない限り、米国特許法第１１２条第６段落の規定に基づいて解釈されるべきではない。更に、用語「含む（ｉｎｃｌｕｄｅ）」、「有する（ｈａｖｅ）」又は同様のものが明細書又は特許請求の範囲で使用される限りにおいて、そのような用語は、「備える（ｃｏｍｐｒｉｓｅ）」が特許請求の範囲において移行語として使用されるときに解釈されるように、用語「備える（ｃｏｍｐｒｉｓｅ）」と同様の様態で包括的であることが意図される。
【図１】
2020528794.tif 000003
【図２】
2020528794.tif 000004
【図３】
2020528794.tif 000005
【図４】
2020528794.tif 000006
【図５】
2020528794.tif 000007
【図６】
2020528794.tif 000008
【図７】
2020528794.tif 000009
【図８】
2020528794.tif 000010
【図９】
2020528794.tif 000011
【図１０】
2020528794.tif 000012
【図１１】
2020528794.tif 000013
【図１２】
2020528794.tif 000014
【図１３】
2020528794.tif 000015
【図１４】
2020528794.tif 000016
【図１５】
2020528794.tif 000017
【図１６】
2020528794.tif 000018
【図１７】
2020528794.tif 000019
【図１８】
2020528794.tif 000020
【図１９】
2020528794.tif 000021
【図２０】
2020528794.tif 000022
【図２１】
2020528794.tif 000023
【図２２】
2020528794.tif 000024
【図２３】
2020528794.tif 000025
【図２４】
2020528794.tif 000026
【図２５】
2020528794.tif 000027
【図２６】
2020528794.tif 000028
【図２７】
2020528794.tif 000029
【図２８】
2020528794.tif 000030
【図２９】
2020528794.tif 000031
【図３０】
2020528794.tif 000032
【図３１】
2020528794.tif 000033
【図３２】
2020528794.tif 000034
【国際調査報告】
2020528794.tif 000035
2020528794.tif 000036